(57)【特許請求の範囲】
【請求項１】
本体ケースの前面にスピーカ孔が開設されているとともに、前記本体ケース内で、前記スピーカ孔の後方となる位置にスピーカが取り付けられたインターホン機器であって、
前記本体ケースの内面側に、前記スピーカ孔を覆うように合成樹脂製の防水シートを配置させ、前記防水シートの後方から前記スピーカを前記本体ケースに取り付けることにより、前記スピーカ孔と前記スピーカとの間に前記防水シートを介在させるとともに、
前記本体ケースの内面側に、前記スピーカ孔を囲むように取付リブを突設し、前記取付リブにより囲まれた空間をスピーカ取付部とするとともに、前記取付リブよりも前記本体ケースの外側に、前記防水シートを配置した際に前記防水シートの周縁部が接触可能なシート接触部を設けており、
前記シート接触部の前記本体ケース内側に周縁部が接触した状態で前記スピーカ取付部を覆うように前記防水シートを配置させることで、前記スピーカを取り付ける際に前記防水シートの配置位置からの位置ずれが防止されるとともに、前記防水シートの配置後、前記防水シートの後方から前記スピーカを前記スピーカ取付部へ嵌め込むことにより、前記防水シートが前記本体ケース側と前記スピーカ側とで挟み込んで取り付けられていることを特徴とするインターホン機器。
【発明の詳細な説明】
【技術分野】
【０００１】
本発明は、通話部としてスピーカ部を備えており、たとえば来訪者により呼出操作されると、居室内のインターホン親機と通話可能に接続されるインターホン子機等といったインターホン機器に関するものである。
【背景技術】
【０００２】
従来、たとえばインターホン子機を始めとするインターホン機器には、他のインターホン機器との間で通話するための通話部としてスピーカ部が設けられている（たとえば特許文献１）。そして、そのようなインターホン機器では、スピーカ部における本体ケースの内面側において、スピーカとスピーカ孔との間に合成樹脂製の防水シートを介在させ、スピーカ孔から本体ケース内へ浸入してきた雨水等がスピーカに悪影響を及ぼさないようにしていた。
【先行技術文献】
【特許文献】
【０００３】
【特許文献１】特開２０１３−２０１５３５号公報
【発明の概要】
【発明が解決しようとする課題】
【０００４】
上述したような防水シートを取り付けるにあたっては、スピーカ孔を覆うように本体ケースの内面側に防水シートを配置させ、防水シートの後方からスピーカを取り付けることで、防水シートをスピーカ側と本体ケース側とで挟み込むといった方法が一般的に採用されている。しかしながら、防水シートは薄くて軽いため、スピーカを取り付ける際に、防水シートの位置がずれやすい。そのため、インターホン機器の組み立て作業が煩わしく、歩留まりが悪いという問題があった。
【０００５】
そこで、本発明は、上記問題に鑑みなされたものであって、防水シートの位置がずれにくく、組み立て作業が簡易で、歩留まりの向上を図ることができるインターホン機器を提供しようとするものである。
【課題を解決するための手段】
【０００６】
上記目的を達成するために、本発明は、本体ケースの前面にスピーカ孔が開設されているとともに、本体ケース内で、スピーカ孔の後方となる位置にスピーカが取り付けられたインターホン機器であって、本体ケースの内面側に、スピーカ孔を覆うように合成樹脂製の防水シートを配置させ、防水シートの後方からスピーカを本体ケースに取り付けることにより、スピーカ孔とスピーカとの間に防水シートを介在させるとともに、本体ケースの内面側に、防水シートを配置した際に防水シートの周縁部が接触可能なシート接触部を設けており、シート接触部に防水シートの周縁部を接触させておくことにより、スピーカを取り付ける際に防水シートの配置位置からの位置ずれを防止可能としたことを特徴とする。
したがって、本発明によれば、インターホン機器の組み立て作業が従来よりも簡易となるし、歩留まりの向上をも図ることができる。
【０００７】
また、本発明は、本体ケースの内面側に、スピーカ孔を囲むように取付リブを突設し、取付リブにより囲まれた空間をスピーカ取付部とするとともに、取付リブよりも本体ケースの外側にシート接触部を設けており、シート接触部の本体ケース内側に周縁部が接触した状態でスピーカ取付部を覆うように防水シートを配置させた後、防水シートの後方からスピーカをスピーカ取付部へ嵌め込むことにより、防水シートが本体ケース側とスピーカ側とで挟み込んで取り付けられていることを特徴とする。
したがって、本発明によれば、防水シートの取り付け、ひいてはインターホン機器の組み立てが一層簡易であるし、防水シートを取り付けるための専用の構成要素を設ける必要がなく、インターホン機器の小型化や本体ケース内の設計自由度の向上等を図ることができる。
【発明の効果】
【０００９】
本発明によれば、本体ケースの内面側に、防水シートを配置した際に防水シートの周縁部が接触可能なシート接触部を設けており、シート接触部に防水シートの周縁部を接触させておくことにより、スピーカを取り付ける際に防水シートの配置位置からの位置ずれを防止可能としている。したがって、インターホン機器の組み立て作業が従来よりも簡易となるし、歩留まりの向上をも図ることができる。
【図面の簡単な説明】
【００１０】
【図１】インターホン子機を前側から示した斜視説明図である。
【図２】前ケースの後面側を示した斜視説明図である。
【図３】防水シートを配置させた状態を示した斜視説明図である。
【図４】インターホン子機の上下方向での断面を示した説明図である。
【発明を実施するための形態】
【００１１】
以下、本発明の一実施形態となるインターホン子機について、図面にもとづき詳細に説明する。
【００１２】
図１は、インターホン子機１を前側から示した斜視説明図である。図２は、前ケース２の後面側を示した斜視説明図である。図３は、防水シート１０を配置させた状態を示した斜視説明図である。図４は、インターホン子機１の上下方向での断面を示した説明図である。
【００１３】
インターホン子機１は、前側に配置される前ケース２と、後側に配置される後ケース３と、前ケース２の前面を覆うように取り付けられる化粧パネル４とで構成される本体ケースを有している。この本体ケースの前面上部には、来訪者等を撮像するためのカメラ部５が設けられているとともに、来訪者が居住者と通話等するためのマイク部６が設けられている。また、カメラ部５の下側には、同じく来訪者が居住者と通話等するためのスピーカ部７が設けられているとともに、スピーカ部７の更に下側には、来訪者が居住者を呼び出す際に操作する呼出ボタン８が設けられている。そして、このようなインターホン子機１は、住戸の玄関の壁面等に設置されており、来訪者による呼出ボタン８の操作に応じて、住戸内に設置されているインターホン親機（図示せず）を呼び出すとともに、カメラを作動させて来訪者を撮像する。なお、９は、インターホン子機１を壁面等に取り付けるための基台である。また、カメラにより撮像された映像は、インターホン親機に備えられているモニタに表示される。
【００１４】
ここで、本発明の要部となるスピーカ部７について詳細に説明する。
スピーカ部７では、上下方向へ長いスリット状のスピーカ孔１１が、本体ケースの前面側に貫通するように設けられている。また、前ケース２の後面（内面）には、スピーカ孔１１を囲むように取付リブ１３、１３・・が後方へ立設されており、当該取付リブ１３、１３・・で囲まれる空間がスピーカ１２を嵌め込んで取り付けるためのスピーカ取付部として機能する。さらに、前ケース２の後面で取付リブ１３、１３の外側には、スピーカ１２をネジ止め固定するための取付ボス１４、１４が後方へ突設されている。加えて、前ケース２の後面で取付リブ１３、１３の上側は、取付リブ１３、１３よりも後方へ隆起した段部１５となっており、該段部１５上に、防水シート１０の位置ずれを防止するための一対の位置ずれ防止リブ１６、１６が後方へ突設されている。一方、防水シート１０は、合成樹脂製の従来周知のシート部材であり、スピーカ取付部よりも大きな円形状に形成されている。なお、各位置ずれ防止リブ１６は、防水シート１０の周縁部にあわせた円弧状に延設されている。
【００１５】
そして、スピーカ１２を取り付けるに際しては、まず前ケース２の後面において、スピーカ孔１１を後方から覆うように、ひいてはスピーカ取付部を後方から覆うように、防水シート１０を配置させる。このとき、防水シート１０の上縁を位置ずれ防止リブ１６、１６の下面に当接させつつ防水シート１０を配置させることで、防水シート１０を適切な位置に配置させることができる。そして、当該状態において、防水シート１０の後方から防水シート１０も共にスピーカ取付部内へ押し込むようにして、スピーカ１２をスピーカ取付部内へ嵌め込んだ後、スピーカ１２の後面に当接させた固定板１７を取付ボス１４、１４にネジ止めする。すると、スピーカ１２が、その前面側を防水シート１０に覆われた状態でスピーカ孔１１の後側に固定されることになる。また、このようにしてスピーカ１２が取り付けられた状態において、防水シート１０は、取付リブ１３、１３・・（本体ケース側）とスピーカ１２の周縁部（スピーカ側）とで挟まれて固定されている（すなわち、本体ケース内において、スピーカ孔１１とスピーカ１２との間に防水シート１０が介在される）。
【００１６】
以上のような構成を有するインターホン子機１によれば、前ケース２の後面で、スピーカ取付部の外側となる位置に、位置ずれ防止リブ１６、１６を突設しており、防水シート１０の周縁部を位置ずれ防止リブ１６、１６に当接させつつ防水シート１０を配置させることにより、スピーカ１２を取り付ける際に防水シート１０の位置がずれてしまう事態を防止することができる。したがって、インターホン子機１の組み立て作業が従来よりも簡易となるし、歩留まりの向上をも図ることができる。
【００１７】
また、前ケース２の後面側に、スピーカ孔１１を囲むようにして取付リブ１３、１３・・を立設して、取付リブ１３、１３・・により囲まれた空間をスピーカ取付部とするとともに、当該スピーカ取付部を覆うように防水シート１０を配置させた後、防水シート１０の後方から防水シート１０も共にスピーカ取付部内へ押し込むようにして、スピーカ１２をスピーカ取付部内へ嵌め込むことにより、防水シート１０を取付リブ１３、１３・・とスピーカ１２の周縁部とで挟んで取り付けることができる。したがって、防水シート１０の取り付け、ひいてはインターホン子機１の組み立てが一層簡易であるし、防水シート１０を取り付けるための専用の構成要素を設ける必要がなく、インターホン子機１の小型化や本体ケース内の設計自由度の向上等を図ることができる。
【００１８】
なお、本発明に係るインターホン機器は、上記実施形態の態様に何ら限定されるものではなく、インターホン機器の全体的な構成は勿論、位置ずれ防止リブ等に係る構成についても、本発明の趣旨を逸脱しない範囲で、必要に応じて適宜変更することができる。
【００１９】
たとえば、上記実施形態では、スピーカ取付部の上側に位置ずれ防止リブを設けているが、位置ずれ防止リブを、スピーカ取付部の左右両側や下側に設けてもよく、位置ずれ防止リブの設置位置や数等については適宜変更可能である。
また、位置ずれ防止リブに、防水シートを差し込むためのスリットを設ける等して、位置ずれの更なる効果的な防止を図っても良い。さらにまた、上記実施形態では、シート接触部としてリブを設けているが、シートの周縁部に引っ掛かる爪状のシート接触部や、シート周縁部を挟み込むシート接触部等、シート接触部をどのような構造とするかは適宜変更可能である。
【００２０】
さらに、上記実施形態のように、シート接触部として専用の構成要素を設けるのではなく、たとえばカメラを設置するための構成要素をシート接触部としても機能させるように構成することも可能である。
加えて、上記実施形態では、インターホン機器の一例であるインターホン子機について説明しているが、スピーカ部を有するものであれば、集合玄関機等の他のインターホン機器であっても何ら問題はない。
【符号の説明】
【００２１】
１・・インターホン子機（インターホン機器）、２・・前ケース（本体ケース）、３・・後ケース（本体ケース）、７・・スピーカ部、１０・・防水シート、１１・・スピーカ孔、１２・・スピーカ、１３・・取付リブ、１６・・位置ずれ防止リブ（シート接触部）。
【図１】
0006484518.tif 000002
【図２】
0006484518.tif 000003
【図３】
0006484518.tif 000004
【図４】
0006484518.tif 000005